(57)【特許請求の範囲】
【請求項１】
自己復帰性を備えたスナップ板でなるプッシュ型接片とこのプッシュ型接片を下方に押し込むためのキートップと上記プッシュ型接片の側方に位置して前後方向にスライド可能なスライド型接片とが、ボディに具備された凹所内に配備され、このボディに、上記プッシュ型接片を押し込むための押下げ力を上記キートップに付与しかつ上記スライド型接片をスライドさせるための押圧力をそのスライド型接片に付与するための操作体が取り付けられてなるプッシュスイッチ付き回動型スイッチにおいて、
上記操作体は左右に長く形成され、上記プッシュ型接片の上に上記キートップが載架支持され、そのキートップの球面状の頂面に上記操作体の左右方向の中央部の下面が接して、そのキートップの頂部に上記操作体が載架支持されていると共に、この操作体の左右方向の一端部と他端部とのそれぞれは、上記キートップを介して上記プッシュ型接片を押し込む押下げ位置へのこの操作体の下動が可能でかつこの操作体の上記キートップの球面状の頂面に沿う前後方向の回動が可能に上記ボディの左右の側面に係止されて取り付けられ、上記スライド型接片が、上記操作体の左右方向の一側部に連結されてその操作体の回動によって前後方向にスライドされる接片保持体に取り付けられ、
上記ボディの凹所内に、上記スライド型接片のスライド方向に変位可能なばね体が位置決めして収容されていると共に、上記操作体の上記接片保持体連結位置とは上記キートップの球面状の頂面との接触位置を挟んで反対側の左右方向の他側部に連結されてその操作体の回動により上記ばね体のばね力に抗して前後方向にスライドされる可動体が上記ばね体に連結され、
上記ボディの凹所が、そのボディの底壁から立ち上げられた仕切り壁によって、上記ボディの左右方向の中央部に位置し上記キートップ及びプッシュ型接片を収容するキートップ収容部と、上記ボディの左右方向の一側部に位置し上記接片保持体及び上記スライド型接片を収容する接片保持体収容部と、上記ボディの上記接片保持体収容部とは上記キートップ収容部を挟んで反対側の左右方向の他側部に位置し上記可動体及び上記ばね体を収容する可動体収容部とに仕切られていることを特徴とするプッシュスイッチ付き回動型スイッチ。
【請求項２】
上記操作体の左右方向の一端部と他端部とのそれぞれに横向き係合部が備わり、それらの横向き係合部が、上記ボディの左右の側面に具備された各別の凹入部に上下動及び回動可能に収容され、上記プッシュ型接片の復帰力によって上向き付勢された状態で上記横向き係合部が上記凹入部の壁面における前後方向に沿って湾曲する半円状の上部に係止されるようになっていると共に、その横向き係合部と凹入部の壁面上部との係止位置が、上記キートップの頂部に具備された球面状の頂面の幾何学的中心位置としての頂点位置と同一高さに定められている請求項１に記載したプッシュスイッチ付き回動型スイッチ。
【請求項３】
上記接片保持体と上記可動体とのそれぞれに上向き突片が設けられており、これらの上向き突片のそれぞれの上端部が、上記操作体の上記キートップの球面状の頂面との接触位置の左右両側に各別に具備された凹所に相対摺動可能に係止されている請求項１または請求項２に記載したプッシュスイッチ付き回動型スイッチ。
【請求項４】
上記ボディに、そのボディの上記凹所を塞ぐカバーが取り付けられ、このカバーの上記キートップ収容部、上記接片保持体収容部、上記可動体収容部との対向箇所のそれぞれに各別の開口が開設され、上記カバーの上記キートップ収容部との対向箇所に開設された上記開口に上記キートップの頂部が挿通され、上記カバーの上記接片保持体収容部との対向箇所に開設された上記開口に上記接片保持体の上向き突片が挿通され、上記カバーの上記可動体収容部との対向箇所に開設された上記開口に上記可動体の上向き突片が挿通されている請求項３に記載したプッシュスイッチ付き回動型スイッチ。
【発明の詳細な説明】
【０００１】
【発明の属する技術分野】
本発明は、プッシュスイッチ付き回動型スイッチ、詳しくはプッシュ操作によっても回動操作によっても動作させることが可能なプッシュスイッチ付き回動型スイッチに関する。
【０００２】
【従来の技術】
プッシュスイッチ付き回動型スイッチは、電気電子機器の薄形化や軽量化を阻害せずに多機能化を図る上で有用であるため、携帯電話やＰＨＳ、ページャといった移動体通信端末装置や、携帯オーディオ機器といった携帯用ＡＶ装置などに組み込まれている。
【０００３】
図９及び図１０にこの種の従来のプッシュスイッチ付き回動型スイッチを示してある。このものは、中空のボディ１０の中央部にプッシュスイッチユニット１１が設置され、このプッシュスイッチユニット１１のキートップ１２の上に重なり状に配備された棒状のレバーでなる操作体１３が、上記ボディ１０に互いに直交する２軸方向に移動可能に収容された可動体１４の孔部１５に挿通されていると共に、その可動体１４がその周囲の等角度おきの４箇所に配備された各別のコイルばね１６…の押し合いによって水平方向（前後及び左右方向）での中立位置に向けて常時付勢されていると共に、この可動体１４にスライドスイッチの可動側接片（不図示）が設けられている。なお、１７はボディ１０に取り付けられたカバー、１８はコイルばね１６とボディ１０の内面との間に介在された摺動体である。さらに、１９はボディ１０に設けられた当り部で、上記プッシュスイッチユニット１１のキートップ１２によって上方へ付勢された操作体１３の上動限位置を規制する作用を発揮する。
【０００４】
このプッシュスイッチ付き回動型スイッチでは、操作体１３を押し下げてプッシュスイッチユニット１１のキートップ１２を押し下げることによってプッシュスイッチユニット１１の状態切換えを行うことができる。また、操作体１３を斜めに倒す操作を行って可動体１４を操作体１３の倒れ込み方向に移動させることによってスライドスイッチの状態切換えを行うことができる。また、このプッシュスイッチ付き回動型スイッチにおいて、プッシュスイッチユニット１１のキートップ１２によって上方へ付勢された操作体１３が上記当たり部１９に当たることによって上下方向での中立位置に保持されると共に、４本のコイルばね１６…による付勢によって水平方向での中立位置に保持される。
【０００５】
図１１〜図１３は従来の他のプッシュスイッチ付き回動型スイッチを示してある。このものは、ボディ２０に設けられた支軸２１に、操作体２２を一体に備えた可動板２３の長孔部２４が嵌合されていると共に、上記支軸２１に保持されたねじりコイルばね２５の一端部２６と他端部２７とが、上記可動板２３の左右両側部分に係止されている。
【０００６】
このプッシュスイッチ付き回動型スイッチでは、図１２の矢印Ｄのようにねじりコイルばね２５の付勢に抗して操作体２２を押し下げると、図示していないプッシュスイッチの状態切換えが行われ、また、図１３の矢印Ｈのようにねじりコイルばね２５の付勢に抗して操作体２２を支軸２１の周りで倒すと、図示していない別のスイッチの状態切換えが行われる。このプッシュスイッチ付き回動型スイッチにおいて、操作体２２の上下方向での中立位置への復帰や水平方向での中立位置への復帰は、いずれも、ねじりコイルばね２５による付勢によって行われる。
【０００７】
【発明が解決しようとする課題】
従来の２種類のプッシュスイッチ付き回動型スイッチのうち、図９及び図１０で説明したものは、操作体１３を水平方向での中立位置に復帰させるのに可動体１４の周囲に等角度おきに配備された４本のコイルばね１６…を用いているため、それらのコイルばね１６…の配置に広いスペースが必要になってプッシュスイッチ付き回動型スイッチの小形化が阻害される。また、操作体１３が、図示のように棒状に形成されていて当該プッシュスイッチ付き回動型スイッチの中央部で上方に突き出ているだけであるため、操作体１３の押下げ操作や傾動操作を行うことのできる箇所が当該プッシュスイッチ付き回動型スイッチの中央部に限定されてしまって操作に不便を感じることがあった。
【０００８】
一方、図１１〜図１３で説明したものは、操作体２２の上下方向での中立位置への復帰と水平方向での中立位置への復帰とが、共通のねじりコイルばね２５による付勢によって行われるようになっているため、操作体２２を押し下げるのに必要な荷重（押圧荷重）又は操作体２２を傾動させるのに必要な荷重（傾動荷重）は、一方の荷重を定めると他方の荷重も必然的に定まってしまう。そのため、押圧荷重と傾動荷重の両方を共に最適に設定することが困難であった。さらに、操作体２２を押下げ操作したときにプッシュスイッチの状態切換えのクリック感が得られるようにした場合には、押下げ操作時のクリック感がねじりコイルばね２５の弾性によって打ち消されてクリック感が低下する。
【０００９】
以上のように、従来のプッシュスイッチ付き回動型スイッチにあっては、操作体を中立位置に復帰させるのに用いる複数本のコイルばねの配置する広いスペースが必要になってその小形化が阻害されたり、操作箇所が限定されて操作に不便を感じたり、押圧荷重と傾動荷重とを共に最適な設定することが困難であったり、操作時のクリック感が低下したりするといった問題があった。
【００１０】
本発明は以上の状況の下でなされたものであり、操作体を操作する際の操作箇所を図９及び図１０で説明した従来のものよりも広く確保することが可能なプッシュスイッチ付き回動型スイッチを提供することを目的とする。
【００１１】
また、本発明は、操作体の前後方向での中立位置への復帰を１つのばね体によって行わせることができて小形化を促進しやすいプッシュスイッチ付き回動型スイッチを提供することを目的とする。
【００１２】
さらに、本発明は、操作体の押圧荷重と傾動荷重とを共に最適に設定することのできるプッシュスイッチ付き回動型スイッチを提供することを目的とする。
【００１３】
さらに、本発明は、操作体を押し下げるときのクリック感を良好に発揮させることのできるプッシュスイッチ付き回動型スイッチを提供することを目的とする。
【００１４】
【課題を解決するための手段】
図面を参照して本発明のプッシュスイッチ付き回動型スイッチを説明する。なお、この欄で図中の符号を使用したのは、発明の内容の理解を助けるためであって、内容を図例に限定する意図ではない。
【００１５】
本発明に係るプッシュスイッチ付き回動型スイッチは、自己復帰性を備えたスナップ板でなるプッシュ型接片５１とこのプッシュ型接片５１を下方に押し込むためのキートップ６０と上記プッシュ型接片５１の側方に位置して前後方向にスライド可能なスライド型接片５２とが、ボディ３０に具備された凹所内に配備され、このボディ３０に、上記プッシュ型接片５１を押し込むための押下げ力を上記キートップ６０に付与しかつ上記スライド型接片５２をスライドさせるための押圧力をそのスライド型接片５２に付与するための操作体１００が取り付けられている、という基本的構成を備えている。
【００１６】
そして、本発明では、上記操作体１００は左右に長く形成され、上記プッシュ型接片５１の上に上記キートップ６０が載架支持され、そのキートップ６０の球面状の頂面６３に上記操作体１００の左右方向の中央部の下面が接して、そのキートップ６０の頂部６２に上記操作体１００が載架支持されていると共に、この操作体１００の左右方向の一端部と他端部とのそれぞれは、上記キートップ６０を介して上記プッシュ型接片５１を押し込む押下げ位置へのこの操作体１００の下動が可能でかつこの操作体１００の上記キートップ６０の球面状の頂面６３に沿う前後方向の回動が可能に上記ボディ３０の左右の側面に係止されて取り付けられ、上記スライド型接片５２が、上記操作体１００の左右方向の一側部に連結されてその操作体１００の回動によって前後方向にスライドされる接片保持体７０に取り付けられている。
【００１７】
このように構成された本発明に係るプッシュスイッチ付き回動型スイッチによると、操作体１００が押し下げられて下動するとキートップ６０が押し下げられてプッシュ型接片５１が押し込まれる。この場合、操作体１００の一端部を押し下げても他端部を押し下げても操作体１００の中央部を押し下げても、その操作体１００を下動させることができるので、操作体１００の操作箇所が当該プッシュスイッチ付き回動型スイッチの中央部に限定されることはなく、そのことが操作体１００の操作箇所を広く確保することに役立つ。また、操作体１００を回動させると、接片保持体７０に取り付けられたスライド型接片５２が接片保持体７０と共に前後方向にスライドする。この発明では、操作体１００の上下方向での中立位置への復帰を、プッシュ型接片５１の自己復帰性を利用して行わせることが可能である。
【００１８】
また、本発明では、上記ボディ３０の凹所内に、上記スライド型接片５２のスライド方向に変位可能なばね体３８が位置決めして収容さていると共に、上記操作体１００の上記接片保持体７０連結位置とは上記キートップ６０の球面状の頂面６３との接触位置を挟んで反対側の左右方向の他側部に連結されてその操作体１００の回動により上記ばね体３８のばね力に抗して前後方向にスライドされる可動体８０が上記ばね体３８に連結されている、という構成が付加されている。これによると、操作体１００の前後方向での中立位置への復帰をばね体３８のばね力によって行わせることが可能である。
【００１９】
本発明において「上記操作体１００は左右方向に長く形成され、上記プッシュ型接片５１の上に上記キートップ６０が載架支持され、そのキートップ６０の球面状の頂面６３に上記操作体１００の左右方向の中央部の下面が接して、そのキートップ６０の頂部６２に上記操作体１００が載架支持されていると共に、この操作体１００の左右方向の一端部と他端部とのそれぞれは、上記キートップ６０を介して上記プッシュ型接片５１を押し込む押下げ位置へのこの操作体１００の下動が可能でかつこの操作体１００の上記キートップ６０の球面状の頂面６３に沿う前後方向の回動が可能に上記ボディ３０の左右の側面に係止されて取り付けられ、上記スライド型接片５２が、上記操作体１００の左右方向の一側部に連結されてその操作体１００の回動によって前後方向にスライドされる接片保持体７０に取り付けられている」という構成と、「上記ボディ３０の凹所内に、上記スライド型接片５２のスライド方向に変位可能なばね体３８が位置決めして収容されていると共に、上記操作体１００の上記接片保持体７０連結位置とは上記キートップ６０の球面状の頂面６３との接触位置を挟んで反対側の左右方向の他側部に連結されてその操作体１００の回動により上記ばね体３８のばね力に抗して前後方向にスライドされる可動体８０が上記ばね体３８に連結されている」という両方の構成を併せ有することで、操作体１００の上下方向での中立位置への復帰がプッシュ型接片５１の自己復帰性を利用して行われ、操作体１００の前後方向での中立位置への復帰がばね体３８によって行われるので、操作体１００を押し下げてプッシュ型接片５１をスナップ動作させたりそのプッシュ型接片５１が自己復帰したりする際のクリック感が、ばね体３８のばね力によって打ち消されるという事態が起こらなくなって、良好の使用感触を得やすくなる。
【００２０】
さらに、本発明では、上記ボディ３０の凹所が、そのボディ３０の底壁３１から立ち上げられた仕切り壁３２，３３によって、上記ボディ３０の左右方向の中央部に位置し上記キートップ６０及びプッシュ型接片５１を収容するキートップ収容部３４と、上記ボディ３０の左右方向の一側部に位置し上記接片保持体７０及び上記スライド型接片５２を収容する接片保持体収容部３５と、上記ボディ３０の上記接片保持体収容部３５とは上記キートップ収容部３４を挟んで反対側の左右方向の他側部に位置し上記可動体８０及び上記ばね体３８を収容する可動体収容部３６とに仕切られている、という構成が付加されている。この構成によれば、キートップ収容部３４と接片保持体収容部３５と可動体収容部３６とが一列に並んだ横長でかつ薄型のプッシュスイッチ付き回動型スイッチを形成することができる。
【００２１】
本発明では、上記操作体１００の左右方向の一端部と他端部とのそれぞれに横向き係合部１３０，１４０が備わり、それらの横向き係合部１３０，１４０が、上記ボディ３０に左右の側面に具備された各別の凹入部４５，４６に上下動及び回動可能に収容され、上記プッシュ型接片５１の復帰力によって上向き付勢された状態で上記横向き係合部１３０，１４０が上記凹入部４５，４６の壁面における前後方向に沿って湾曲する半円状の上部に係止されるようになっていると共に、その横向き係合部１３０，１４０と凹入部４５，４６の壁面上部との係止位置が、上記キートップ６０の頂部６２に具備された球面状の頂面６３の幾何学的中心位置としての頂点位置と同一高さに定められている、という構成を採用することが可能である。
【００２２】
これによると、操作体１００の上下方向での中立位置は、プッシュ型接片５１の自己復帰性によって上方へ付勢された操作体１００の横向き係合部１３０，１４０がボディ３０側の凹入部４５，４６の壁面における前後方向に沿って湾曲する半円状の上部に当たることによって規制される。また、操作体１００を傾動操作したときには、その操作体１００がキートップ６０の頂部６２の球面状の頂面６３に摺動するだけになり、操作体１００によってキートップ６０が押し下げられることはないので、上記した良好な使用感触を確実に発揮させることが可能になる。
【００２３】
本発明では、上記接片保持体７０と上記可動体８０とのそれぞれに上向き突片７１，８１が設けられており、これらの上向き突片７１，８１のそれぞれの上端部が、上記操作体１００の上記キートップ６０の球面状の頂面６３との接触位置の左右両側に各別に具備された凹所１５０，１６０に相対摺動可能に係止されていることが望ましく、こうしておくことにより、ボディ３０の凹所にプッシュ型接片５１やキートップ６０、スライド型接片５２を取り付けた接片保持体７０、ばね体３８や可動体８０を組み込んだ後、操作体１００をその上から被せるようにして取り付けることが可能になるので、組立性に優れたプッシュスイッチ付き回動型スイッチを得ることが可能になる。
【００２４】
本発明では、上記ボディ３０に、そのボディの上記凹所を塞ぐカバー９０が取り付けられ、このカバー９０の上記キートップ収容部３４、上記接片保持体収容部３５、上記可動体収容部３６との対向箇所のそれぞれに各別の開口９２，９３，９４が開設され、上記カバー９０の上記キートップ収容部３４との対向箇所に開設された上記開口９２に上記キートップ６０の頂部６２が挿通され、上記カバー９０の上記接片保持体収容部３５との対向箇所に開設された上記開口９３に上記接片保持体７０の上向き突片７１が挿通され、上記カバー９０の上記可動体収容部３６との対向箇所に開設された上記開口９４に上記可動体８０の上向き突片８１が挿通されていることが望ましい。これによると、カバー９０や操作体１００によってボディ３０の凹所の密閉性が高められるので、ボディ３０の内部に塵芥が侵入しにくくなってプッシュ型接片５１やスライド型接片５２が保護され、動作信頼性に優れたプッシュスイッチ付き回動型スイッチを提供することが可能になる。
【００２５】
【発明の実施の形態】
図１及び図２は本発明の実施形態に係るプッシュスイッチ付き回動型スイッチの概略分解斜視図、図３は同回動型スイッチの概略平面図、図４は図３のＩＶ−ＩＶ線に沿う部分の概略断面図である。また、図５及び図６は操作体１００を押下げ操作したときの作用を説明するための断面図、図７及び図８は操作体１００を傾動操作したときの作用を説明するための断面図である。
【００２６】
図１のように、このプッシュスイッチ付き回動型スイッチのボディ３０は、その底壁３１から立ち上げられた仕切り壁３２，３３によって円形のキートップ収容部３４と矩形の接片保持体収容部３５と矩形の可動体収容部３６とに３区画された凹所を有している。
【００２７】
図４〜図６のように、キートップ収容部３４の底面に中央電極４１と周辺電極４２とが埋入されており、周辺電極４２の上に、ドーム状の自己復帰性を備えたスナップ板でなるプッシュ型接片５１が載架されていて、そのプッシュ型接片５１の頂部が上記中央電極４１に対向している。この実施形態では図１のように２枚のスナップ板を使ってプッシュ型接片５１を形成することによってプッシュ型接片５１の耐用性やスナップ動作時のクリック感を発揮させる作用を高めてあるけれども、この点は、１枚のスナップ板を使ってプッシュ型接片５１を形成することも可能である。また、プッシュ型接片５１はキートップ収容部３４の周壁面によって位置ずれしないように定位置に位置決めされている。プッシュ型接片５１の上にはキートップ６０がその下向き凸部６１を介して載架支持されている。このキートップ６０は、その頂部６２の上面すなわち頂面６３が球面状に形成されている。また、キートップ６０には径大な鍔部６４が備わっていて、この鍔部６４をキートップ収容部３４の周壁面に上下摺動可能に当接させることによってキートップ６０をキートップ収容部３４との同心位置に保持させてある。
【００２８】
接片保持体収容部３５の底面の前後方向複数箇所に電極４３が埋入されている。また、この接片保持体収容部３５には、前後方向摺動可能に接片保持体７０が収容されている。この接片保持体７０の下面には、図１に示されているようにブラシ接片でなるスライド型接片５２が固着されていて、接片保持体７０が接片保持体収容部３５内で前後方向にスライドすると、スライド型接片５２が上記した複数箇所の電極４３の接続状態を切り換え得るようになっている。また、接片保持体７０には上向き突片７１が一体に具備されている。
【００２９】
可動体収容部３６は、その中央部に前後幅及び左右幅の短い矩形凹入状のばね体収容部３７が備わっていて、このばね体収容部３７に、コイルばねでなるばね体３８の下半部が前後方向及び左右方向で位置決めされた状態で収容されている。そして、このばね体３８の上半部に、可動体収容部３６に前後方向摺動可能に嵌合された矩形枠体でなる可動体８０が嵌め込まれている。また、可動体８０には上向き突片８１が一体に具備されている。
【００３０】
図２に示したカバー９０は金属製の導電板で略矩形に作られている。このカバー９０は、図４〜図８のようにボディ３０の凹所、すなわちキートップ収容部３４と接片保持体収容部３５と可動体収容部３６とを塞ぐ形態でそのボディ３０に取り付けられる。ボディ３０とカバー９０とは、ボディ３０側に設けられた係止突起３９にカバー９０側に曲成された係止爪９１を係合させることによって結合されている。また、カバー９０には円形開口９２とその両側に形成された前後方向に長いスリット状の開口９３，９４とが開設されていて、図４のように円形開口９２がボディ３０側のキートップ収容部３４に同心状に臨み、他の開口９３，９４がそれぞれ接片保持体収容部３５と可動体収容部３６とに各別に臨んでいる。
【００３１】
図２に示した操作体１００は左右に長く形成されていて、その一端部と他端部とに具備されている下向き突片部１１０，１２０には、図４〜図６のように横向き係合部１３０，１４０が備わっている。そして、図４のように、操作体１００の長手方向中央部が上記キートップ６０の頂面６３に重なり状に載架支持されていると共に、左右の上記横向き係合部１３０，１４０が、ボディ３０の左右の各端部に形成された凹所４５，４６に各別に上下動及び回動可能に収容されている。また、上記したプッシュ型接片５１の復帰力によって操作体１００がキートップ６０を介して上向き付勢されていて、その付勢状態で左右の横向き係合部１３０，１４０が上記凹所４５，４６の壁面における前後方向に湾曲する半円状の上部に図４のように係止されるようになっている。しかも、図４に図示されている横向き係合部１３０，１４０と凹所４５，４６の壁面上部との係止位置Ｐ１，Ｐ２は、キートップ６０の球面状の頂面６３の幾何学的中心位置としての頂点位置と同一高さに定められている。さらに、操作体１００には、左右の各箇所に、上記接片保持体７０の上向き突片７１が嵌合されてその上向き突片７１を相対摺動可能に係止している凹所１５０と、上記可動体８０の上向き突片８１が嵌合されてその上向き突片８１を相対摺動可能に係止している凹所１６０とが形成されている。しかも、各上向き突片７１，８１の両側にはこれらの上向き突片７１，８１が凹所１５０，１６０内で相対的に左右に変位することのできる遊び空間が確保されている。
【００３２】
以上のように構成されたプッシュスイッチ付き回動型スイッチでは、自己復帰性を備えたプッシュ型接片５１のばね力がキートップ６０を介して操作体１００に伝えられ、しかも、操作体１００の横向き係合部１３０，１４０がボディ３０側の凹入部４５，４６の壁面上部に係合することによって、操作体１００の上下方向での中立位置が定まる（図４参照）。また、ボディ３０側のばね体収容部３７に収容されて前後どちらにも偏倚していないばね体３８に嵌合している可動体８０の上向き突片８１が操作体１００の凹所１６０に係止していることによって、操作体１００の傾動方向での中立位置が定まる（図７参照）。
【００３３】
上下方向での中立位置に位置している操作体１００を押し下げて下動させることによりキートップ６０を押し下げると、そのキートップ６０により押し込まれたプッシュ型接片５１が図５又は図６のようにスナップ動作を伴って撓み変形して中央電極４１に接触するので、中央電極４１と周辺電極４２とがプッシュ型接片５１により短絡して状態切換えが行われる。この場合、図５の矢印Ｌのように操作体１００の一端部を押し下げても、図６の矢印Ｒのように操作体１００の他端部を押し下げても、あるいは操作体１００の中央部を押し下げても、その操作体１００が下動するので、操作体１００の操作箇所が当該プッシュスイッチ付き回動型スイッチの中央部に限定されることはなく、そのことが操作体１００の操作箇所を広く確保することに役立っている。しかも、操作体１００の押下げ操作を行うときはばね体３８に力が加わらないので、操作体１００を押下げ操作してプッシュ型接片５１にスナップ動作を行わせても、プッシュ型接片５１によって発揮されるクリック感がばね体３８のばね力によって打ち消されるという事態は起こらない。
【００３４】
一方、傾動方向での中立位置に位置している操作体１００を前後いずれかの一方向に傾動させると、接片保持体７０が操作体１００の傾動方向に沿う方向にスライドし、スライド型接片５２も接片保持体７０と共にスライドする。また、図８のように、可動体８０も、ばね体３８を偏倚させながら接片保持体７０と同じ方向にスライドする。このため、操作体１００を傾動させている力が解放されると、ばね体３８の復帰力によって接片保持体７０や可動体８０が元位置に復帰して操作体１００が前後方向での中立位置に復帰する。この場合、図４で説明したように、操作体１００側の横向き係合部１３０，１４０とボディ３０側の凹所４５，４６の壁面上部との係止位置Ｐ１，Ｐ２が、キートップ６０の球面状の頂面６３の幾何学的中心位置としての頂点位置と同一高さに定められているため、操作体１００が上下方向での中立位置に位置している状態で操作体１００が傾動しても、プッシュ型接片５１に押下げ力が加わることはない。
【００３５】
この実施形態では、キートップ６０の頂面６３を球面状に形成してあるため、操作体１００の一端部や他端部を押し下げたときでもプッシュ型接片５１に負荷が加わりにくいという利点がある。
【００３６】
【発明の効果】
以上のように、本発明に係るプッシュスイッチ付き回動型スイッチは、操作体を押下げ操作したり傾動操作したりする際の操作箇所を図９や図１０で説明した従来のものよりも広く確保することが可能であるので、それだけ使い勝手が向上して使いやすいものになる。また、操作体の前後方向での中立位置への復帰を１つのばね体によって行わせることができ、しかも、そのばね体のばね力による影響が操作体の押下げ操作に及ばないので、小形化を促進しやすいにもかかわらず、操作体の押圧荷重と傾動荷重とを共に最適に設定することができ、さらに操作体を押し下げるときのクリック感を良好に発揮させることができるようになる。
【図面の簡単な説明】
【図１】  本発明の実施形態に係るプッシュスイッチ付き回動型スイッチの一部の要素を示した概略分解斜視図である。
【図２】  本発明の実施形態に係るプッシュスイッチ付き回動型スイッチの他の要素を示した概略分解斜視図である。
【図３】  同回動型スイッチの概略平面図である。
【図４】  図３のＩＶ−ＩＶ線に沿う部分の概略断面図である。
【図５】  操作体の一端部を押下げ操作したときの作用を説明するための断面図である。
【図６】  操作体の他端部を押下げ操作したときの作用を説明するための断面図である。
【図７】  操作体が前後方向での中立位置に位置している状態での図３のＶＩＩ−ＶＩＩ線に沿う部分の概略断面図である。
【図８】  操作体を傾動操作したときの作用を説明するための断面図である。
【図９】  従来のプッシュスイッチ付き回動型スイッチの断面図である。
【図１０】  図９のプッシュスイッチ付き回動型スイッチの内部構造を示した平面図である。
【図１１】  従来の他のプッシュスイッチ付き回動型スイッチの説明図である。
【図１２】  同他のプッシュスイッチ付き回動型スイッチが押下げ操作された状態での説明図である。
【図１３】  同他のプッシュスイッチ付き回動型スイッチが傾動操作された状態での説明図である。
【符号の説明】
３０  ボディ
３２，３３  仕切り壁
３４  キートップ収容部
３５  接片保持体収容部
３６  可動体収容部
３８  ばね体
４５，４６  凹入部
５１  プッシュ型接片
５２  スライド型接片
６０  キートップ
６３  頂面
７０  接片保持体
７１，８１  上向き突片
８０  可動体
９０  カバー
９３，９４  開口
１００  操作体
１３０，１４０  横向き係合部
１５０，１６０  凹所
Ｐ１，Ｐ２  係止位置
【図１】
0003803547.tif 000002
【図２】
0003803547.tif 000003
【図３】
0003803547.tif 000004
【図４】
0003803547.tif 000005
【図５】
0003803547.tif 000006
【図６】
0003803547.tif 000007
【図７】
0003803547.tif 000008
【図８】
0003803547.tif 000009
【図９】
0003803547.tif 000010
【図１０】
0003803547.tif 000011
【図１１】
0003803547.tif 000012
【図１２】
0003803547.tif 000013
【図１３】
0003803547.tif 000014